(57)【要約】【課題】複数の医用検査装置と複数の情報処理装置が存在する状況下であっても、医用検査装置が所望の情報処理装置から被検体情報を容易に取得可能とする。【解決手段】被検体を検査して検査データを生成する超音波診断装置２０Ｘ，２０Ｙ，２０Ｚは、電子カルテ端末１０Ａ，１０Ｂ，１０Ｃとの間で通信可能となっており、超音波診断装置ごとに、取得先の電子カルテ端末が設定されている。各超音波診断装置は、電子カルテ端末１０Ａから被検体に関する被検体情報及び電子カルテ端末１０Ａを識別するための装置識別ＩＤが受信された場合に、当該受信された装置識別ＩＤに基づいて、送信元の電子カルテ端末１０Ａが取得先の電子カルテ端末であるか否かを判断し、送信元の電子カルテ端末１０Ａが取得先の電子カルテ端末である場合に、受信された被検体情報を検査対象の被検体に関する被検体情報として設定する。【選択図】図５
2020135161.tif 000002
【特許請求の範囲】
【請求項１】
被検体を検査して検査データを生成する検査データ生成部と、
複数の情報処理装置との間で通信可能な通信部と、
前記複数の情報処理装置の中から取得先の情報処理装置を設定するための取得先設定部と、
前記通信部により、前記複数の情報処理装置のうちいずれかの情報処理装置から被検体に関する被検体情報及び当該情報処理装置を識別するための装置識別情報が受信された場合に、当該受信された装置識別情報に基づいて、当該受信された被検体情報及び装置識別情報の送信元の情報処理装置が前記取得先の情報処理装置であるか否かを判断する判断部と、
前記送信元の情報処理装置が前記取得先の情報処理装置であると判断された場合に、前記受信された被検体情報を前記検査データ生成部における検査対象の被検体に関する被検体情報として設定する被検体情報設定部と、
を備える医用検査装置。
【請求項２】
前記複数の情報処理装置のそれぞれに対し、前記取得先の情報処理装置であるか否かが対応付けられた設定テーブルを記憶する記憶部を備え、
前記判断部は、前記記憶部に記憶されている前記設定テーブルを参照して、前記送信元の情報処理装置が前記取得先の情報処理装置であるか否かを判断する請求項１に記載の医用検査装置。
【請求項３】
前記通信部は、複数の医用検査装置のそれぞれと前記複数の情報処理装置のそれぞれとが対応付けられた設定テーブルを記憶する記憶部を備えるサーバーとの間で通信可能であり、
前記判断部は、前記通信部を介して前記サーバーから前記設定テーブルを取得し、前記設定テーブルにおいて前記送信元の情報処理装置と対応付けられている医用検査装置が自装置であるか否かを判断することで、前記送信元の情報処理装置が前記取得先の情報処理装置であるか否かを判断する請求項１に記載の医用検査装置。
【請求項４】
前記通信部は、複数の医用検査装置のそれぞれと前記複数の情報処理装置のそれぞれとが対応付けられた設定テーブルを記憶する記憶部を備えるサーバーとの間で通信可能であり、
前記判断部は、前記通信部を介して前記サーバーに前記送信元の情報処理装置の装置識別情報を送信し、前記設定テーブルにおいて前記送信元の情報処理装置と対応付けられている医用検査装置が自装置であるか否かの判断結果を前記サーバーから取得し、当該判断結果に基づいて、前記送信元の情報処理装置が前記取得先の情報処理装置であるか否かを判断する請求項１に記載の医用検査装置。
【請求項５】
前記取得先設定部は、前記設定テーブルを変更することで、前記取得先の情報処理装置を設定する請求項３又は４に記載の医用検査装置。
【請求項６】
取得先変更モードに遷移可能なモード変更部を備え、
前記取得先設定部は、前記取得先変更モード中に、前記通信部により、前記いずれかの情報処理装置から被検体情報及び当該情報処理装置を識別するための装置識別情報が受信された場合に、当該情報処理装置を前記取得先の情報処理装置として設定し、
前記モード変更部は、前記取得先変更モード中に、前記通信部により、前記いずれかの情報処理装置から被検体情報が受信された場合に、前記取得先変更モードを終了する請求項５に記載の医用検査装置。
【請求項７】
前記設定テーブルにおいて、同一の医用検査装置が対応付けられている情報処理装置が二つ以上存在するか否かを判定する判定部を備え、
前記取得先設定部は、同一の医用検査装置が対応付けられている情報処理装置が二つ以上存在すると判定された場合に、当該二つ以上の情報処理装置のうちいずれか一つの情報処理装置と、当該二つ以上の情報処理装置と対応付けられていた医用検査装置とが対応付けられるように、前記設定テーブルを変更する請求項６に記載の医用検査装置。
【請求項８】
前記取得先設定部は、前記二つ以上の情報処理装置のうち前記同一の医用検査装置との対応関係が最後に設定された情報処理装置と、当該二つ以上の情報処理装置と対応付けられていた医用検査装置とが対応付けられるように、前記設定テーブルを変更する請求項７に記載の医用検査装置。
【請求項９】
同一の医用検査装置が対応付けられている情報処理装置が二つ以上存在すると判定された場合に、その旨をユーザーに通知する通知部と、
前記二つ以上の情報処理装置のうち前記同一の医用検査装置との対応関係が最後に設定された情報処理装置の設定を優先させるか否かをユーザーが選択するための選択部と、
を備え、
前記取得先設定部は、前記選択部により、前記同一の医用検査装置との対応関係が最後に設定された情報処理装置の設定を優先させることが選択された場合に、当該同一の医用検査装置との対応関係が最後に設定された情報処理装置と、前記二つ以上の情報処理装置と対応付けられていた医用検査装置とが対応付けられるように、前記設定テーブルを変更する請求項８に記載の医用検査装置。
【請求項１０】
前記被検体情報は、被検体を識別するための被検体識別ＩＤである請求項１から９のいずれか一項に記載の医用検査装置。
【請求項１１】
被検体に関する被検体情報の入力及び表示を行う複数の情報処理装置と、被検体を検査して検査データを生成する検査データ生成部を備える複数の医用検査装置と、前記複数の医用検査装置と通信可能なサーバーと、を有する医用検査システムであって、
前記複数の情報処理装置のそれぞれは、当該情報処理装置において表示されている被検体情報と当該情報処理装置を識別するための装置識別情報を前記複数の医用検査装置のそれぞれに送信する送信部を備え、
前記複数の医用検査装置のそれぞれは、
前記複数の情報処理装置との間で通信可能な通信部と、
前記複数の情報処理装置の中から取得先の情報処理装置を設定するための取得先設定部と、
前記通信部により、前記複数の情報処理装置のうちいずれかの情報処理装置から被検体に関する被検体情報及び当該情報処理装置を識別するための装置識別情報が受信された場合に、当該受信された装置識別情報に基づいて、当該受信された被検体情報及び装置識別情報の送信元の情報処理装置が前記取得先の情報処理装置であるか否かを判断する判断部と、
前記送信元の情報処理装置が前記取得先の情報処理装置であると判断された場合に、前記受信された被検体情報を前記検査データ生成部における検査対象の被検体に関する被検体情報として設定する被検体情報設定部と、
を備え、
前記サーバーは、前記複数の医用検査装置のそれぞれと前記複数の情報処理装置のそれぞれとが対応付けられた設定テーブルを記憶する記憶部を備え、
前記判断部は、前記サーバーから取得した前記設定テーブルに関する情報に基づいて、前記送信元の情報処理装置が前記取得先の情報処理装置であるか否かを判断する医用検査システム。
【請求項１２】
前記サーバーは、前記複数の医用検査装置のうちいずれかの医用検査装置から前記設定テーブルの送信要求を受信した場合に、要求元の医用検査装置に前記設定テーブルを送信する提供部を備え、
前記要求元の医用検査装置の前記判断部は、前記通信部を介して前記サーバーから前記設定テーブルを取得し、前記設定テーブルにおいて前記送信元の情報処理装置と対応付けられている医用検査装置が自装置であるか否かを判断することで、前記送信元の情報処理装置が前記取得先の情報処理装置であるか否かを判断する請求項１１に記載の医用検査システム。
【請求項１３】
前記サーバーは、前記複数の医用検査装置のうちいずれかの医用検査装置から前記送信元の情報処理装置の装置識別情報を受信した場合に、前記設定テーブルを参照して、前記受信した装置識別情報に基づいて、前記送信元の情報処理装置と対応付けられている医用検査装置が、前記装置識別情報を前記サーバーに送信した要求元の医用検査装置であるか否かを判断し、当該判断結果を前記要求元の医用検査装置に送信する提供部を備え、
前記要求元の医用検査装置の前記判断部は、前記通信部を介して前記サーバーに前記送信元の情報処理装置の装置識別情報を送信し、前記判断結果を前記サーバーから取得し、当該判断結果に基づいて、前記送信元の情報処理装置が前記取得先の情報処理装置であるか否かを判断する請求項１１に記載の医用検査システム。
【請求項１４】
前記サーバーは、
前記設定テーブルの変更指示を受信する受信部と、
前記受信部により、前記設定テーブルの変更指示が受信された場合に、前記設定テーブルにおける前記複数の医用検査装置と前記複数の情報処理装置との対応関係を変更する設定テーブル変更部と、
を備える請求項１１から１３のいずれか一項に記載の医用検査システム。
【請求項１５】
前記被検体情報は、被検体を識別するための被検体識別ＩＤである請求項１１から１４のいずれか一項に記載の医用検査システム。
【発明の詳細な説明】
【技術分野】
【０００１】
本発明は、医用検査装置及び医用検査システムに関する。
【背景技術】
【０００２】
超音波診断装置等の医用検査装置において検査を行う際には、医用検査装置により生成される検査データと、被検体に関する被検体情報（被検体識別ＩＤ、氏名、生年月日、性別等）を対応付ける必要がある。そのため、医用検査装置上で被検体情報を入力する代わりに、電子カルテ端末等の情報処理装置から被検体情報を取得して、検査を開始する方法が利用されている。
【０００３】
例えば、情報処理装置（外部機器）と通信可能な医用検査装置において、所定の操作入力が行われたタイミングで情報処理装置から被検体情報を取得する技術が提案されている（特許文献１参照）。特許文献１では、１台の情報処理装置と１台の医用検査装置が設置されていることを前提としている。
【０００４】
しかし、実際の現場では、情報処理装置と医用検査装置がそれぞれ複数設置されていることが多い。診察室が２部屋ある病院の場合、通常、情報処理装置（電子カルテ端末）は診察室ごとに設置されている。また、医用検査装置を複数使っている病院では、情報処理装置と同様、診察室ごとに医用検査装置が設置されていることもあるが、可搬性の高い小型の超音波診断装置等の医用検査装置の場合、医用検査装置を診察室の間で移動させて使用することも多々ある。
【０００５】
このように、医用検査装置が被検体情報を取得すべき接続先の情報処理装置は、状況に応じて変化する。急を要する医療現場において、接続先を変更するためにその都度設定を必要とすることは、致命的である。
したがって、複数の医用検査装置と複数の情報処理装置が存在する状況下において、各医用検査装置が所望の情報処理装置から被検体情報を取得できる手段が求められている。
【０００６】
また、スマートフォン等の多用途電子表示装置が第１の無線通信プロトコル（例えば、Bluetooth（登録商標））を用いて複数の超音波撮像装置の選択情報を取得し、選択情報の中から所望の超音波撮像装置を選択した後、第２の無線通信プロトコル（例えば、Ｗｉ−Ｆｉ）を用いて、選択した超音波撮像装置と接続を確立し、接続を確立した超音波撮像装置から、超音波画像を取得し表示する技術が提案されている（特許文献２参照）。この方法を用いることで、複数の超音波診断装置（データを提供する側の装置という点で上記「情報処理装置」に相当する。）と複数の多用途電子表示装置（データを取得する側の装置という点で上記「医用検査装置」に相当する。）が存在する状況下において、接続先を変更することができる。
【先行技術文献】
【特許文献】
【０００７】
【特許文献１】特開２０１８−２９７８６号公報
【特許文献２】特表２０１８−５０９２６９号公報
【発明の概要】
【発明が解決しようとする課題】
【０００８】
しかしながら、上記従来技術のように、二つの無線通信プロトコルを用いる方法では、Ｗｉ−Ｆｉ等を用いて装置間の接続を確立する前に、別の無線通信プロトコル（Bluetooth等）を用いて予備接続を行う必要があるため、時間がかかるという問題があった。予備接続の通信が不安定な場合には、より多くの時間を要する。
また、Bluetooth等のハードウェア構成が双方の装置に必要となるため、使用できる状況が限られていた。Ｗｉ−Ｆｉ通信機能であれば、一般的な電子カルテ端末（情報処理装置）に備わっているが、Bluetooth等の無線通信プロトコルは電子カルテ端末に備わっているとは限らない。
【０００９】
これらの理由から、医用検査装置が情報処理装置から被検体情報を取得する際に、より幅広い状況下で使用でき、かつ、より利便性を向上させた方法が求められる。
【００１０】
本発明は、上記の従来技術における問題に鑑みてなされたものであって、複数の医用検査装置と複数の情報処理装置が存在する状況下であっても、医用検査装置が所望の情報処理装置から被検体情報を容易に取得可能とすることを課題とする。
【課題を解決するための手段】
【００１１】
上記課題を解決するために、請求項１に記載の発明は、被検体を検査して検査データを生成する検査データ生成部と、複数の情報処理装置との間で通信可能な通信部と、前記複数の情報処理装置の中から取得先の情報処理装置を設定するための取得先設定部と、前記通信部により、前記複数の情報処理装置のうちいずれかの情報処理装置から被検体に関する被検体情報及び当該情報処理装置を識別するための装置識別情報が受信された場合に、当該受信された装置識別情報に基づいて、当該受信された被検体情報及び装置識別情報の送信元の情報処理装置が前記取得先の情報処理装置であるか否かを判断する判断部と、前記送信元の情報処理装置が前記取得先の情報処理装置であると判断された場合に、前記受信された被検体情報を前記検査データ生成部における検査対象の被検体に関する被検体情報として設定する被検体情報設定部と、を備える医用検査装置である。
【００１２】
請求項２に記載の発明は、請求項１に記載の医用検査装置において、前記複数の情報処理装置のそれぞれに対し、前記取得先の情報処理装置であるか否かが対応付けられた設定テーブルを記憶する記憶部を備え、前記判断部は、前記記憶部に記憶されている前記設定テーブルを参照して、前記送信元の情報処理装置が前記取得先の情報処理装置であるか否かを判断する。
【００１３】
請求項３に記載の発明は、請求項１に記載の医用検査装置において、前記通信部は、複数の医用検査装置のそれぞれと前記複数の情報処理装置のそれぞれとが対応付けられた設定テーブルを記憶する記憶部を備えるサーバーとの間で通信可能であり、前記判断部は、前記通信部を介して前記サーバーから前記設定テーブルを取得し、前記設定テーブルにおいて前記送信元の情報処理装置と対応付けられている医用検査装置が自装置であるか否かを判断することで、前記送信元の情報処理装置が前記取得先の情報処理装置であるか否かを判断する。
【００１４】
請求項４に記載の発明は、請求項１に記載の医用検査装置において、前記通信部は、複数の医用検査装置のそれぞれと前記複数の情報処理装置のそれぞれとが対応付けられた設定テーブルを記憶する記憶部を備えるサーバーとの間で通信可能であり、前記判断部は、前記通信部を介して前記サーバーに前記送信元の情報処理装置の装置識別情報を送信し、前記設定テーブルにおいて前記送信元の情報処理装置と対応付けられている医用検査装置が自装置であるか否かの判断結果を前記サーバーから取得し、当該判断結果に基づいて、前記送信元の情報処理装置が前記取得先の情報処理装置であるか否かを判断する。
【００１５】
請求項５に記載の発明は、請求項３又は４に記載の医用検査装置において、前記取得先設定部は、前記設定テーブルを変更することで、前記取得先の情報処理装置を設定する。
【００１６】
請求項６に記載の発明は、請求項５に記載の医用検査装置において、取得先変更モードに遷移可能なモード変更部を備え、前記取得先設定部は、前記取得先変更モード中に、前記通信部により、前記いずれかの情報処理装置から被検体情報及び当該情報処理装置を識別するための装置識別情報が受信された場合に、当該情報処理装置を前記取得先の情報処理装置として設定し、前記モード変更部は、前記取得先変更モード中に、前記通信部により、前記いずれかの情報処理装置から被検体情報が受信された場合に、前記取得先変更モードを終了する。
【００１７】
請求項７に記載の発明は、請求項６に記載の医用検査装置において、前記設定テーブルにおいて、同一の医用検査装置が対応付けられている情報処理装置が二つ以上存在するか否かを判定する判定部を備え、前記取得先設定部は、同一の医用検査装置が対応付けられている情報処理装置が二つ以上存在すると判定された場合に、当該二つ以上の情報処理装置のうちいずれか一つの情報処理装置と、当該二つ以上の情報処理装置と対応付けられていた医用検査装置とが対応付けられるように、前記設定テーブルを変更する。
【００１８】
請求項８に記載の発明は、請求項７に記載の医用検査装置において、前記取得先設定部は、前記二つ以上の情報処理装置のうち前記同一の医用検査装置との対応関係が最後に設定された情報処理装置と、当該二つ以上の情報処理装置と対応付けられていた医用検査装置とが対応付けられるように、前記設定テーブルを変更する。
【００１９】
請求項９に記載の発明は、請求項８に記載の医用検査装置において、同一の医用検査装置が対応付けられている情報処理装置が二つ以上存在すると判定された場合に、その旨をユーザーに通知する通知部と、前記二つ以上の情報処理装置のうち前記同一の医用検査装置との対応関係が最後に設定された情報処理装置の設定を優先させるか否かをユーザーが選択するための選択部と、を備え、前記取得先設定部は、前記選択部により、前記同一の医用検査装置との対応関係が最後に設定された情報処理装置の設定を優先させることが選択された場合に、当該同一の医用検査装置との対応関係が最後に設定された情報処理装置と、前記二つ以上の情報処理装置と対応付けられていた医用検査装置とが対応付けられるように、前記設定テーブルを変更する。
【００２０】
請求項１０に記載の発明は、請求項１から９のいずれか一項に記載の医用検査装置において、前記被検体情報は、被検体を識別するための被検体識別ＩＤである。
【００２１】
請求項１１に記載の発明は、被検体に関する被検体情報の入力及び表示を行う複数の情報処理装置と、被検体を検査して検査データを生成する検査データ生成部を備える複数の医用検査装置と、前記複数の医用検査装置と通信可能なサーバーと、を有する医用検査システムであって、前記複数の情報処理装置のそれぞれは、当該情報処理装置において表示されている被検体情報と当該情報処理装置を識別するための装置識別情報を前記複数の医用検査装置のそれぞれに送信する送信部を備え、前記複数の医用検査装置のそれぞれは、前記複数の情報処理装置との間で通信可能な通信部と、前記複数の情報処理装置の中から取得先の情報処理装置を設定するための取得先設定部と、前記通信部により、前記複数の情報処理装置のうちいずれかの情報処理装置から被検体に関する被検体情報及び当該情報処理装置を識別するための装置識別情報が受信された場合に、当該受信された装置識別情報に基づいて、当該受信された被検体情報及び装置識別情報の送信元の情報処理装置が前記取得先の情報処理装置であるか否かを判断する判断部と、前記送信元の情報処理装置が前記取得先の情報処理装置であると判断された場合に、前記受信された被検体情報を前記検査データ生成部における検査対象の被検体に関する被検体情報として設定する被検体情報設定部と、を備え、前記サーバーは、前記複数の医用検査装置のそれぞれと前記複数の情報処理装置のそれぞれとが対応付けられた設定テーブルを記憶する記憶部を備え、前記判断部は、前記サーバーから取得した前記設定テーブルに関する情報に基づいて、前記送信元の情報処理装置が前記取得先の情報処理装置であるか否かを判断する。
【００２２】
請求項１２に記載の発明は、請求項１１に記載の医用検査システムにおいて、前記サーバーは、前記複数の医用検査装置のうちいずれかの医用検査装置から前記設定テーブルの送信要求を受信した場合に、要求元の医用検査装置に前記設定テーブルを送信する提供部を備え、前記要求元の医用検査装置の前記判断部は、前記通信部を介して前記サーバーから前記設定テーブルを取得し、前記設定テーブルにおいて前記送信元の情報処理装置と対応付けられている医用検査装置が自装置であるか否かを判断することで、前記送信元の情報処理装置が前記取得先の情報処理装置であるか否かを判断する。
【００２３】
請求項１３に記載の発明は、請求項１１に記載の医用検査システムにおいて、前記サーバーは、前記複数の医用検査装置のうちいずれかの医用検査装置から前記送信元の情報処理装置の装置識別情報を受信した場合に、前記設定テーブルを参照して、前記受信した装置識別情報に基づいて、前記送信元の情報処理装置と対応付けられている医用検査装置が、前記装置識別情報を前記サーバーに送信した要求元の医用検査装置であるか否かを判断し、当該判断結果を前記要求元の医用検査装置に送信する提供部を備え、前記要求元の医用検査装置の前記判断部は、前記通信部を介して前記サーバーに前記送信元の情報処理装置の装置識別情報を送信し、前記判断結果を前記サーバーから取得し、当該判断結果に基づいて、前記送信元の情報処理装置が前記取得先の情報処理装置であるか否かを判断する。
【００２４】
請求項１４に記載の発明は、請求項１１から１３のいずれか一項に記載の医用検査システムにおいて、前記サーバーは、前記設定テーブルの変更指示を受信する受信部と、前記受信部により、前記設定テーブルの変更指示が受信された場合に、前記設定テーブルにおける前記複数の医用検査装置と前記複数の情報処理装置との対応関係を変更する設定テーブル変更部と、を備える。
【００２５】
請求項１５に記載の発明は、請求項１１から１４のいずれか一項に記載の医用検査システムにおいて、前記被検体情報は、被検体を識別するための被検体識別ＩＤである。
【発明の効果】
【００２６】
本発明によれば、複数の医用検査装置と複数の情報処理装置が存在する状況下であっても、医用検査装置が所望の情報処理装置から被検体情報を容易に取得することができる。
【図面の簡単な説明】
【００２７】
【図１】本発明の第１の実施の形態における医用検査システムのシステム構成図である。
【図２】電子カルテ端末の機能的構成を示すブロック図である。
【図３】超音波診断装置の機能的構成を示すブロック図である。
【図４】第１の被検体情報設定処理を示すフローチャートである。
【図５】第１の被検体情報設定処理の具体例を説明するための図である。
【図６】本発明の第２の実施の形態における医用検査システムのシステム構成図である。
【図７】サーバーの機能的構成を示すブロック図である。
【図８】第２の被検体情報設定処理を示すフローチャートである。
【図９】第２の被検体情報設定処理の具体例を説明するための図である。
【図１０】本発明の第３の実施の形態における取得先変更モード処理を示すフローチャートである。
【図１１】取得先変更モード処理の具体例を説明するための図である。
【図１２】設定テーブルの具体例である。
【図１３】本発明の第４の実施の形態における設定テーブル修正処理を示すフローチャートである。
【図１４】超音波診断装置に表示される通知画面の例である。
【図１５】設定テーブルの具体例である。
【図１６】超音波診断装置に表示される設定画面の例である。
【図１７】本発明の第５の実施の形態における第３の被検体情報設定処理を示すフローチャートである。
【図１８】超音波診断装置に表示される警告画面の例である。
【発明を実施するための形態】
【００２８】
以下、図面を参照して、本発明に係る医用検査装置及び医用検査システムの実施の形態について説明する。ただし、発明の範囲は図示例に限定されない。
【００２９】
［第１の実施の形態］
まず、本発明の第１の実施の形態について説明する。
図１に、第１の実施の形態における医用検査システム１００のシステム構成を示す。図１に示すように、医用検査システム１００は、複数の情報処理装置としての電子カルテ端末１０Ａ，１０Ｂ，１０Ｃと、複数の医用検査装置としての超音波診断装置２０Ｘ，２０Ｙ，２０Ｚと、を備えて構成されている。電子カルテ端末１０Ａ，１０Ｂ，１０Ｃと、超音波診断装置２０Ｘ，２０Ｙ，２０Ｚは、ＬＡＮ（Local Area Network）等の通信ネットワークＮを介してデータ通信可能に接続されている。なお、電子カルテ端末１０Ａ，１０Ｂ，１０Ｃ、超音波診断装置２０Ｘ，２０Ｙ，２０Ｚの台数は、特に限定されない。医用検査システム１００は、病院内に設置されている。医用検査システム１００を構成する各装置は、ＤＩＣＯＭ（Digital Image and Communications in Medicine）規格に準じており、各装置間の通信は、ＤＩＣＯＭに則って行われる。
【００３０】
電子カルテ端末１０Ａ，１０Ｂ，１０Ｃは、医師が患者の診察、診療を行う診察室に設置され、電子カルテの入力及び表示を行う際に用いられる。電子カルテには、被検体（患者）に関する被検体情報が含まれる。被検体情報には、被検体を識別するための被検体識別ＩＤ、被検体の氏名（漢字、カナ、ローマ字）、生年月日、性別等が含まれる。以下、電子カルテ端末１０Ａ，１０Ｂ，１０Ｃを電子カルテ端末１０と記す場合もある。
【００３１】
医師は、必要に応じて、超音波診断装置２０Ｘ，２０Ｙ，２０Ｚを用いて被検体（患者）に対して検査を行う。以下、超音波診断装置２０Ｘ，２０Ｙ，２０Ｚを超音波診断装置２０と記す場合もある。
超音波診断装置２０は、被検体の生体内部組織の状態を超音波画像にして表示出力する医用検査装置である。超音波診断装置２０は、被検体内に対して超音波（送信超音波）を送信するとともに、この被検体内で反射した超音波の反射波（反射超音波：エコー）を受信する。超音波診断装置２０は、受信した反射超音波を電気信号に変換し、これに基づいて超音波画像データ（検査データ）を生成する。超音波診断装置２０は、生成した超音波画像データに基づき、被検体内の内部状態を超音波画像として表示する。また、超音波診断装置２０は、被検体情報等に基づいて、生成した超音波画像データに関する付帯情報を生成する。超音波診断装置２０は、超音波画像データに当該付帯情報を付帯して、ＤＩＣＯＭ規格に則ったＤＩＣＯＭ画像データからなる画像ファイルを生成する。
【００３２】
図２に、電子カルテ端末１０の機能的構成を示す。図２に示すように、電子カルテ端末１０は、ＣＰＵ（Central Processing Unit）１１と、操作部１２と、表示部１３と、通信部１４と、ＲＡＭ（Random Access Unit）１５と、記憶部１６と、を備える。
【００３３】
ＣＰＵ１１は、記憶部１６に記憶されているシステムプログラムや処理プログラム等の各種プログラムを読み出してＲＡＭ１５に展開し、展開されたプログラムに従って、電子カルテ端末１０の各部の動作を制御する。
【００３４】
操作部１２は、カーソルキー、文字・数字入力キー及び各種機能キー等を備えたキーボードと、マウス等のポインティングデバイスと、を備え、キーボードで押下操作されたキーの押下信号とポインティングデバイスによる位置等の入力信号とを、操作信号としてＣＰＵ１１に出力する。例えば、操作部１２は、被検体情報を入力する際に用いられる。
【００３５】
表示部１３は、ＬＣＤ（Liquid Crystal Display）等のモニターを備えて構成されており、ＣＰＵ１１から入力される表示信号の指示に従って、各種画面を表示する。例えば、表示部１３は、被検体情報を含む電子カルテを表示する。
【００３６】
通信部１４は、ネットワークインターフェース等により構成され、通信ネットワークＮを介して接続された超音波診断装置２０等の外部機器との間でデータの送受信を行う。
【００３７】
ＲＡＭ１５は、揮発性の半導体メモリーであり、ＣＰＵ１１により実行される各種処理において、記憶部１６から読み出されたＣＰＵ１１で実行可能な各種プログラム、入力若しくは出力データ、及び、パラメーター等を一時的に記憶するワークエリアを形成する。
【００３８】
記憶部１６は、ＨＤＤ（Hard Disk Drive）や不揮発性の半導体メモリー等により構成され、ＣＰＵ１１で実行されるシステムプログラムや各種プログラムを記憶する。
記憶部１６には、複数の被検体（患者）に対応する被検体情報が記憶されている。また、記憶部１６には、電子カルテ端末１０を識別するための装置識別情報としての装置識別ＩＤが記憶されている。装置識別ＩＤは、電子カルテ端末１０のシリアル番号、ＩＰアドレス等である。
【００３９】
ＣＰＵ１１は、通信部１４を介して、電子カルテ端末１０において表示されている被検体情報と当該電子カルテ端末１０を識別するための装置識別ＩＤを複数の超音波診断装置２０のそれぞれに送信させる。すなわち、通信部１４は、送信部として機能する。電子カルテ端末１０から超音波診断装置２０に送信される被検体情報には、被検体識別ＩＤが含まれる。
【００４０】
図３に、超音波診断装置２０の機能的構成を示す。図３に示すように、超音波診断装置２０は、超音波診断装置本体２１と、超音波探触子２２と、を備える。超音波探触子２２は、被検体内に対して送信超音波を送信するとともに、被検体内からの反射超音波を受信する。超音波診断装置本体２１は、超音波探触子２２とケーブルを介して接続され、超音波探触子２２に電気信号の駆動信号を送信することによって超音波探触子２２に被検体内に対して送信超音波を送信させる。また、超音波診断装置本体２１は、超音波探触子２２にて受信した被検体内からの反射超音波に応じて超音波探触子２２で生成された電気信号である受信信号を受信し、超音波画像データを生成する。
【００４１】
超音波診断装置本体２１は、操作入力部２３と、送受信部２４と、画像処理部２５と、表示部２６と、制御部２７と、記憶部２８と、通信部２９と、を備える。
【００４２】
操作入力部２３は、被検体情報等のデータ、及び、超音波画像を表示部２６に表示するための各種パラメーターの入力等を行うための各種スイッチ、ボタン、トラックボール、マウス、キーボード等を備えており、操作信号を制御部２７に出力する。
【００４３】
送受信部２４は、制御部２７の制御に従って、超音波探触子２２に電気信号である駆動信号を供給して超音波探触子２２に送信超音波を発生させるとともに、超音波探触子２２から電気信号である受信信号を受信する回路である。送受信部２４は、超音波探触子２２に配列された複数の振動子を駆動して送信超音波を発生させて走査（スキャン）を行う。送受信部２４は、受信信号に対して所定の増幅率で増幅させてＡ／Ｄ変換を行った後、整相加算処理を行うことによって受信ビームフォーミングを行う。
【００４４】
画像処理部２５は、整相加算処理された受信信号に対して包絡線検波処理や対数圧縮等を実施し、ダイナミックレンジやゲインの調整を行って輝度変換することにより、Ｂモード画像データを生成する。Ｂモード画像データは、受信信号の強さを輝度によって表したものである。画像処理部２５は、このようにして生成されたＢモード画像データからフレーム単位の超音波画像データを生成する。このフレーム単位での超音波画像データをフレーム画像データということがある。画像処理部２５は、例えば、１０秒分のフレーム画像データを保持可能な大容量メモリーを備えている。
送受信部２４及び画像処理部２５は、被検体を検査して検査データ（超音波画像データ）を生成する検査データ生成部を構成する。
【００４５】
表示部２６は、ＬＣＤ等の表示装置が適用可能である。表示部２６は、画像処理部２５によって生成されたフレーム画像データに基づく超音波画像を表示画面上に表示する。
【００４６】
制御部２７は、ＣＰＵ、ＲＯＭ（Read Only Memory）、ＲＡＭを備えて構成され、ＲＯＭに記憶されているシステムプログラム等の各種処理プログラムを読み出してＲＡＭに展開し、展開したプログラムに従って超音波診断装置２０の各部の動作を制御する。ＲＡＭは、ＣＰＵにより実行される各種プログラム及びこれらプログラムに係るデータを一時的に記憶するワークエリアを形成する。ＲＯＭは、不揮発性の半導体メモリー等により構成され、超音波診断装置２０に対するシステムプログラム及び該システムプログラム上で実行可能な各種処理プログラムや、各種データ等を記憶する。これらのプログラムは、コンピューターが読み取り可能なプログラムコードの形態で格納され、ＣＰＵは、当該プログラムコードに従った動作を逐次実行する。
【００４７】
記憶部２８は、ＨＤＤ等の大容量記録媒体によって構成されており、超音波診断装置２０において生成された超音波画像データを保存する。記憶部２８は、超音波画像データとして、１フレーム分の静止画の画像データである静止画像データと、数フレーム分の静止画像データを動画表示可能に生成された動画データとを保存することができる。なお、ＨＤＤの他、ＣＤ−Ｒ（Compact Disk-Recordable）等の可搬型記録媒体と、これにデータを記録するためのＣＤ−Ｒドライブ等のデータ読出書込装置を備え、これらにより記憶部２８を構成するようにしてもよい。また、記憶部２８は、ＤＩＣＯＭ画像データからなる画像ファイルを保存できるようにしてもよい。
【００４８】
また、記憶部２８には、複数の電子カルテ端末１０のそれぞれに対し、「取得先の電子カルテ端末」であるか否かが対応付けられた設定テーブルが記憶されている。第１の実施の形態では、設定テーブルは、自装置（超音波診断装置２０）にとって「取得先の電子カルテ端末」であるか否かの情報を含むものであるから、超音波診断装置２０ごとに設定テーブルの内容が異なる。
【００４９】
通信部２９は、ネットワークインターフェース等により構成され、通信ネットワークＮを介して接続された電子カルテ端末１０等の外部機器との間でデータの送受信を行う。
【００５０】
超音波診断装置２０が備える各部について、各々の機能ブロックの一部又は全部の機能を、集積回路等のハードウェア回路として実現することができる。また、各々の機能ブロックの一部又は全部の機能をソフトウェアにより実行するようにしてもよい。この場合、このソフトウェアは一つ又はそれ以上のＲＯＭ等の記憶媒体、光ディスク、又はハードディスク等に記憶されており、このソフトウェアが演算処理器により実行される。
【００５１】
制御部２７は、操作入力部２３からの操作に従い、複数の電子カルテ端末１０の中から、自装置に対する「取得先の電子カルテ端末」を設定する。すなわち、制御部２７は、取得先設定部として機能する。制御部２７は、記憶部２８に記憶されている設定テーブルを変更することで、「取得先の電子カルテ端末」を設定する。
【００５２】
制御部２７は、通信部２９により、複数の電子カルテ端末１０のうちいずれかの電子カルテ端末１０から被検体に関する被検体情報及び当該電子カルテ端末１０を識別するための装置識別ＩＤが受信された場合に、当該受信された装置識別ＩＤに基づいて、当該受信された被検体情報及び装置識別ＩＤの送信元の電子カルテ端末１０が「取得先の電子カルテ端末」であるか否かを判断する。すなわち、制御部２７は、判断部として機能する。
具体的には、制御部２７は、記憶部２８に記憶されている設定テーブルを参照して、被検体情報及び装置識別ＩＤの送信元の電子カルテ端末１０が「取得先の電子カルテ端末」であるか否かを判断する。
【００５３】
制御部２７は、被検体情報及び装置識別ＩＤの送信元の電子カルテ端末１０が「取得先の電子カルテ端末」であると判断された場合に、受信された被検体情報を、超音波診断装置２０（検査データ生成部）における検査対象の被検体に関する被検体情報として設定する。すなわち、制御部２７は、被検体情報設定部として機能する。
【００５４】
次に、第１の実施の形態の動作について説明する。
まず、ユーザーは、複数の電子カルテ端末１０のうちいずれかの電子カルテ端末１０において、検査対象とする被検体の被検体情報を表示部１３に表示させる。この状態で、ユーザーが、操作部１２からの操作により、検査開始を指示すると、操作中の電子カルテ端末１０のＣＰＵ１１は、表示部１３に表示されている被検体情報及び当該電子カルテ端末１０を識別するための装置識別ＩＤを、通信部１４を介して、医用検査システム１００内の全ての超音波診断装置２０に送信する。
【００５５】
図４は、各超音波診断装置２０により実行される第１の被検体情報設定処理を示すフローチャートである。この処理は、制御部２７のＣＰＵとＲＯＭに記憶されているプログラムとの協働によるソフトウェア処理によって実現される。
【００５６】
制御部２７は、通信部２９を介して、複数の電子カルテ端末１０のうちいずれかの電子カルテ端末１０から被検体情報と装置識別ＩＤを受信したか否かを判断する（ステップＳ１）。被検体情報と装置識別ＩＤを受信しない場合には（ステップＳ１；ＮＯ）、ステップＳ１に戻る。
【００５７】
ステップＳ１において、いずれかの電子カルテ端末１０から被検体情報と装置識別ＩＤを受信した場合には（ステップＳ１；ＹＥＳ）、制御部２７は、受信した装置識別ＩＤから、被検体情報及び装置識別ＩＤを送信した送信元の電子カルテ端末１０を特定する（ステップＳ２）。
【００５８】
次に、制御部２７は、記憶部２８に記憶されている設定テーブルを参照して、送信元の電子カルテ端末１０が「取得先の電子カルテ端末」として設定されているか否かを判断する（ステップＳ３）。設定テーブルには、例えば、各電子カルテ端末１０に対し、当該設定テーブルを備える超音波診断装置２０の「取得先の情報処理装置」である場合には「〇」、当該設定テーブルを備える超音波診断装置２０の「取得先の情報処理装置」でない場合には「×」が対応付けられている。
【００５９】
送信元の電子カルテ端末１０が「取得先の電子カルテ端末」として設定されている場合には（ステップＳ３；ＹＥＳ）、制御部２７は、受信した被検体情報を、検査対象の被検体に関する被検体情報として設定し（ステップＳ４）、検査を開始する（ステップＳ５）。制御部２７は、超音波診断装置２０により生成される検査データ（超音波画像データ）を、設定された被検体情報と対応付けて記憶部２８に記憶させる。
【００６０】
ステップＳ３において、送信元の電子カルテ端末１０が「取得先の電子カルテ端末」として設定されていない場合には（ステップＳ３；ＮＯ）、制御部２７は、受信した被検体情報を破棄する（ステップＳ６）。
ステップＳ５又はステップＳ６の後、第１の被検体情報設定処理が終了する。
【００６１】
次に、図５を参照して、第１の被検体情報設定処理の具体例を説明する。
電子カルテ端末１０Ａ，１０Ｂ，１０Ｃのうち電子カルテ端末１０Ａにおいて、表示部１３に被検体情報が表示されている状態で、操作部１２からの操作により、表示部１３に表示されている「検査開始」ボタンＢ１が押下されると、電子カルテ端末１０ＡのＣＰＵ１１は、表示部１３に表示されている被検体情報と、電子カルテ端末１０Ａの装置識別ＩＤを、通信部１４を介して超音波診断装置２０Ｘ，２０Ｙ，２０Ｚに送信する。超音波診断装置２０Ｘ，２０Ｙ，２０Ｚを送信先として設定するためのＩＰアドレス等の宛先情報は、記憶部１６に記憶されている。
【００６２】
超音波診断装置２０Ｘの記憶部２８には、設定テーブルＴ１が記憶されている。設定テーブルＴ１には、電子カルテ端末１０Ａが超音波診断装置２０Ｘの「取得先の電子カルテ端末」であること（〇）、電子カルテ端末１０Ｂ，１０Ｃが超音波診断装置２０Ｘの「取得先の電子カルテ端末」でないこと（×）が設定されている。
超音波診断装置２０Ｘの制御部２７は、電子カルテ端末１０Ａから被検体情報及び装置識別ＩＤを受信すると、装置識別ＩＤに基づいて、送信元が電子カルテ端末１０Ａであることを特定する。設定テーブルＴ１を参照すると、電子カルテ端末１０Ａが超音波診断装置２０Ｘの「取得先の電子カルテ端末」として設定されているから、超音波診断装置２０Ｘの制御部２７は、電子カルテ端末１０Ａから受信した被検体情報を検査対象として設定する。
【００６３】
超音波診断装置２０Ｙの記憶部２８には、設定テーブルＴ２が記憶されている。設定テーブルＴ２には、電子カルテ端末１０Ｂが超音波診断装置２０Ｙの「取得先の電子カルテ端末」であること（〇）、電子カルテ端末１０Ａ，１０Ｃが超音波診断装置２０Ｙの「取得先の電子カルテ端末」でないこと（×）が設定されている。
超音波診断装置２０Ｙの制御部２７は、電子カルテ端末１０Ａから被検体情報及び装置識別ＩＤを受信すると、装置識別ＩＤに基づいて、送信元が電子カルテ端末１０Ａであることを特定する。設定テーブルＴ２を参照すると、電子カルテ端末１０Ａは超音波診断装置２０Ｙの「取得先の電子カルテ端末」として設定されていないから、超音波診断装置２０Ｙの制御部２７は、電子カルテ端末１０Ａから受信した被検体情報を破棄する。
【００６４】
超音波診断装置２０Ｚの記憶部２８には、設定テーブルＴ３が記憶されている。設定テーブルＴ３には、電子カルテ端末１０Ｃが超音波診断装置２０Ｚの「取得先の電子カルテ端末」であること（〇）、電子カルテ端末１０Ａ，１０Ｂが超音波診断装置２０Ｚの「取得先の電子カルテ端末」でないこと（×）が設定されている。
超音波診断装置２０Ｚの制御部２７は、電子カルテ端末１０Ａから被検体情報及び装置識別ＩＤを受信すると、装置識別ＩＤに基づいて、送信元が電子カルテ端末１０Ａであることを特定する。設定テーブルＴ３を参照すると、電子カルテ端末１０Ａは超音波診断装置２０Ｚの「取得先の電子カルテ端末」として設定されていないから、超音波診断装置２０Ｚの制御部２７は、電子カルテ端末１０Ａから受信した被検体情報を破棄する。
【００６５】
以上説明したように、第１の実施の形態によれば、電子カルテ端末１０では、全ての超音波診断装置２０へ被検体情報及び電子カルテ端末１０の装置識別ＩＤを送信し、超音波診断装置２０側で、装置識別ＩＤに基づいて、どの電子カルテ端末１０から取得した被検体情報であるかを特定する。このため、電子カルテ端末１０側で一つの送信先を指定して被検体情報を送信したり、超音波診断装置２０側で一つの送信元に制限して被検体情報を受信したりする必要がなく、そのような設定を省くことができる。
また、各超音波診断装置２０において、「取得先の電子カルテ端末」が予め設定されているから、被検体情報及び装置識別ＩＤの送信元の電子カルテ端末１０が「取得先の電子カルテ端末」であるか否かを判断することで、受信した被検体情報を使用するか、破棄するかを制御することができる。このように、複数の超音波診断装置２０と複数の電子カルテ端末１０が存在する状況下であっても、新たなハードウェア構成を追加することなく、超音波診断装置２０が所望の電子カルテ端末１０から被検体情報を容易に取得することができる。超音波診断装置２０は、特定の電子カルテ端末１０から被検体情報を取得した場合だけ、取得した被検体情報を用いて検査を開始することができる。
【００６６】
具体的には、超音波診断装置２０は、超音波診断装置２０内に記憶されている設定テーブルに基づいて、被検体情報及び装置識別ＩＤの送信元の電子カルテ端末１０が、当該超音波診断装置２０が被検体情報を取得すべき「取得先の電子カルテ端末」であるか否かを判断することができる。
また、設定テーブルを変更することで、容易に「取得先の電子カルテ端末」の設定を変更することができる。
【００６７】
また、電子カルテ端末１０から超音波診断装置２０に送信される被検体情報として、被検体識別ＩＤ（患者ＩＤ）のみを用いることで、個人情報の流出を防ぐ等、セキュリティーを向上させることができる。
【００６８】
［第２の実施の形態］
次に、本発明を適用した第２の実施の形態について説明する。
図６に、第２の実施の形態における医用検査システム２００のシステム構成を示す。図６に示すように、医用検査システム２００は、複数の情報処理装置としての電子カルテ端末１０Ａ，１０Ｂ，１０Ｃと、複数の医用検査装置としての超音波診断装置２０Ｘ，２０Ｙ，２０Ｚと、サーバー３０と、を備えて構成されている。電子カルテ端末１０Ａ，１０Ｂ，１０Ｃと、超音波診断装置２０Ｘ，２０Ｙ，２０Ｚと、サーバー３０は、ＬＡＮ等の通信ネットワークＮを介してデータ通信可能に接続されている。医用検査システム２００は、病院内に設置されている。第２の実施の形態において、電子カルテ端末１０（図２参照）及び超音波診断装置２０（図３参照）の第１の実施の形態と同様の構成については説明を省略し、第２の実施の形態に特徴的な構成及び処理を中心に説明する。
【００６９】
第１の実施の形態では、「取得先の電子カルテ端末」であるか否かの判断に用いる設定テーブルが各超音波診断装置２０内に記憶されていたが、第２の実施の形態では、「取得先の電子カルテ端末」であるか否かの判断に用いる設定テーブルがサーバー３０内に記憶されている。
【００７０】
サーバー３０は、病院内の複数の超音波診断装置２０からアクセス可能なサーバーであり、複数の電子カルテ端末１０と複数の超音波診断装置２０との対応関係を管理する。
図７に、サーバー３０の機能的構成を示す。図７に示すように、サーバー３０は、ＣＰＵ３１と、操作部３２と、表示部３３と、通信部３４と、ＲＡＭ３５と、記憶部３６と、を備える。
【００７１】
ＣＰＵ３１は、記憶部３６に記憶されているシステムプログラムや処理プログラム等の各種プログラムを読み出してＲＡＭ３５に展開し、展開されたプログラムに従って、サーバー３０の各部の動作を制御する。
【００７２】
操作部３２は、カーソルキー、文字・数字入力キー及び各種機能キー等を備えたキーボードと、マウス等のポインティングデバイスと、を備え、キーボードで押下操作されたキーの押下信号とポインティングデバイスによる位置等の入力信号とを、操作信号としてＣＰＵ３１に出力する。
【００７３】
表示部３３は、ＬＣＤ等のモニターを備えて構成されており、ＣＰＵ３１から入力される表示信号の指示に従って、各種画面を表示する。
【００７４】
通信部３４は、ネットワークインターフェース等により構成され、通信ネットワークＮを介して接続された超音波診断装置２０等の外部機器との間でデータの送受信を行う。
【００７５】
ＲＡＭ３５は、揮発性の半導体メモリーであり、ＣＰＵ３１により実行される各種処理において、記憶部３６から読み出されたＣＰＵ３１で実行可能な各種プログラム、入力若しくは出力データ、及び、パラメーター等を一時的に記憶するワークエリアを形成する。
【００７６】
記憶部３６は、ＨＤＤや不揮発性の半導体メモリー等により構成され、ＣＰＵ３１で実行されるシステムプログラムや各種プログラムを記憶する。
記憶部３６には、複数の超音波診断装置２０のそれぞれと複数の電子カルテ端末１０のそれぞれとが対応付けられた設定テーブルが記憶されている。第２の実施の形態では、設定テーブルはサーバー３０にて管理されており、各超音波診断装置２０から共通の設定テーブルを参照することとなる。
【００７７】
ＣＰＵ３１は、複数の超音波診断装置２０のうちいずれかの超音波診断装置２０から設定テーブルの送信要求を受信した場合に、要求元の超音波診断装置２０に設定テーブルを送信する。すなわち、ＣＰＵ３１は、提供部として機能する。
【００７８】
通信部３４は、複数の超音波診断装置２０のうちいずれかの超音波診断装置２０から設定テーブルの変更指示を受信する。すなわち、通信部３４は、受信部として機能する。
ＣＰＵ３１は、通信部３４により、設定テーブルの変更指示が受信された場合に、設定テーブルにおける複数の超音波診断装置２０と複数の電子カルテ端末１０との対応関係を変更する。すなわち、ＣＰＵ３１は、設定テーブル変更部として機能する。
【００７９】
超音波診断装置２０の通信部２９は、サーバー３０との間でもデータ通信可能となっている。
【００８０】
超音波診断装置２０の制御部２７は、操作入力部２３からの操作に従い、複数の電子カルテ端末１０の中から、自装置・他装置に対する「取得先の電子カルテ端末」を設定する。すなわち、制御部２７は、取得先設定部として機能する。制御部２７は、サーバー３０の記憶部３６に記憶されている設定テーブルを変更することで、「取得先の電子カルテ端末」を設定する。
【００８１】
制御部２７は、通信部２９により、複数の電子カルテ端末１０のうちいずれかの電子カルテ端末１０から被検体に関する被検体情報及び当該電子カルテ端末１０を識別するための装置識別ＩＤが受信された場合に、当該受信された装置識別ＩＤに基づいて、当該受信された被検体情報及び装置識別ＩＤの送信元の電子カルテ端末１０が「取得先の電子カルテ端末」であるか否かを判断する。すなわち、制御部２７は、判断部として機能する。
制御部２７は、サーバー３０から取得した設定テーブルに関する情報に基づいて、送信元の電子カルテ端末１０が「取得先の電子カルテ端末」であるか否かを判断する。第２の実施の形態では、「設定テーブルに関する情報」は、設定テーブルそのものに相当する。
具体的には、制御部２７は、通信部２９を介してサーバー３０から設定テーブルを取得し、設定テーブルにおいて送信元の電子カルテ端末１０と対応付けられている超音波診断装置２０が自装置であるか否かを判断することで、送信元の電子カルテ端末１０が「取得先の電子カルテ端末」であるか否かを判断する。
【００８２】
制御部２７は、送信元の電子カルテ端末１０が「取得先の電子カルテ端末」であると判断された場合に、受信された被検体情報を、超音波診断装置２０（検査データ生成部）における検査対象の被検体に関する被検体情報として設定する。すなわち、制御部２７は、被検体情報設定部として機能する。
【００８３】
次に、第２の実施の形態の動作について説明する。
複数の電子カルテ端末１０のうちいずれかの電子カルテ端末１０から、表示部１３に表示されている被検体情報及び当該電子カルテ端末１０を識別するための装置識別ＩＤを、医用検査システム２００内の全ての超音波診断装置２０に送信する方法については、第１の実施の形態と同様である。
【００８４】
図８は、各超音波診断装置２０により実行される第２の被検体情報設定処理を示すフローチャートである。この処理は、制御部２７のＣＰＵとＲＯＭに記憶されているプログラムとの協働によるソフトウェア処理によって実現される。
【００８５】
ステップＳ１１〜ステップＳ１２の処理については、第１の被検体情報設定処理（図４参照）のステップＳ１〜ステップＳ２の処理と同様であるため、説明を省略する。
【００８６】
次に、制御部２７は、通信部２９を介して、サーバー３０から設定テーブルを取得する（ステップＳ１３）。具体的には、制御部２７は、通信部２９を介して、サーバー３０に設定テーブルの送信要求を送信する。サーバー３０では、超音波診断装置２０から設定テーブルの送信要求を受信すると、ＣＰＵ３１が、記憶部３６から設定テーブルを読み出し、読み出した設定テーブルを要求元の超音波診断装置２０に送信する。そして、要求元の超音波診断装置２０は、サーバー３０から設定テーブルを受信する。
【００８７】
次に、制御部２７は、サーバー３０から取得した設定テーブルを参照して、被検体情報及び装置識別ＩＤの送信元の電子カルテ端末１０と対応付けられている超音波診断装置２０が自装置であるか否かを判断する（ステップＳ１４）。
【００８８】
送信元の電子カルテ端末１０と対応付けられている超音波診断装置２０が自装置である場合には（ステップＳ１４；ＹＥＳ）、制御部２７は、受信した被検体情報を、検査対象の被検体に関する被検体情報として設定し（ステップＳ１５）、検査を開始する（ステップＳ１６）。
【００８９】
ステップＳ１４において、送信元の電子カルテ端末１０と対応付けられている超音波診断装置２０が自装置でない場合には（ステップＳ１４；ＮＯ）、制御部２７は、受信した被検体情報を破棄する（ステップＳ１７）。
ステップＳ１６又はステップＳ１７の後、第２の被検体情報設定処理が終了する。
【００９０】
次に、図９を参照して、第２の被検体情報設定処理の具体例を説明する。
電子カルテ端末１０Ａ，１０Ｂ，１０Ｃのうち電子カルテ端末１０Ａにおいて、操作部１２からの操作により、表示部１３に表示されている「検査開始」ボタンＢ１１が押下されると、電子カルテ端末１０ＡのＣＰＵ１１は、表示部１３に表示されている被検体情報と、電子カルテ端末１０Ａの装置識別ＩＤを、通信部１４を介して超音波診断装置２０Ｘ，２０Ｙ，２０Ｚに送信する。
【００９１】
サーバー３０の記憶部３６には、設定テーブルＴ１１が記憶されている。設定テーブルＴ１１には、電子カルテ端末１０Ａが超音波診断装置２０Ｘの「取得先の電子カルテ端末」であり、電子カルテ端末１０Ｂが超音波診断装置２０Ｙの「取得先の電子カルテ端末」であり、電子カルテ端末１０Ｃが超音波診断装置２０Ｚの「取得先の電子カルテ端末」であることが設定されている。
【００９２】
超音波診断装置２０Ｘの制御部２７は、電子カルテ端末１０Ａから被検体情報及び装置識別ＩＤを受信すると、装置識別ＩＤに基づいて、送信元が電子カルテ端末１０Ａであることを特定する。サーバー３０から取得した設定テーブルＴ１１を参照すると、送信元の電子カルテ端末１０Ａと対応付けられている超音波診断装置２０が超音波診断装置２０Ｘであるから、超音波診断装置２０Ｘの制御部２７は、電子カルテ端末１０Ａから受信した被検体情報を検査対象として設定する。
【００９３】
超音波診断装置２０Ｙの制御部２７は、電子カルテ端末１０Ａから被検体情報及び装置識別ＩＤを受信すると、装置識別ＩＤに基づいて、送信元が電子カルテ端末１０Ａであることを特定する。サーバー３０から取得した設定テーブルＴ１１を参照すると、送信元の電子カルテ端末１０Ａと対応付けられている超音波診断装置２０が超音波診断装置２０Ｙでないから、超音波診断装置２０Ｙの制御部２７は、電子カルテ端末１０Ａから受信した被検体情報を破棄する。
【００９４】
超音波診断装置２０Ｚの制御部２７は、電子カルテ端末１０Ａから被検体情報及び装置識別ＩＤを受信すると、装置識別ＩＤに基づいて、送信元が電子カルテ端末１０Ａであることを特定する。サーバー３０から取得した設定テーブルＴ１１を参照すると、送信元の電子カルテ端末１０Ａと対応付けられている超音波診断装置２０が超音波診断装置２０Ｚでないから、超音波診断装置２０Ｚの制御部２７は、電子カルテ端末１０Ａから受信した被検体情報を破棄する。
【００９５】
以上説明したように、第２の実施の形態によれば、複数の超音波診断装置２０と複数の電子カルテ端末１０が存在する状況下であっても、新たなハードウェア構成を追加することなく、超音波診断装置２０が所望の電子カルテ端末１０から被検体情報を容易に取得することができる。超音波診断装置２０は、特定の電子カルテ端末１０から被検体情報を取得した場合だけ、取得した被検体情報を用いて検査を開始することができる。
【００９６】
具体的には、超音波診断装置２０は、サーバー３０から設定テーブルを取得し、設定テーブルにおいて送信元の電子カルテ端末１０と対応付けられている超音波診断装置２０が自装置であるか否かを判断することで、送信元の電子カルテ端末１０が「取得先の電子カルテ端末」であるか否かを判断することができる。設定テーブルを各超音波診断装置２０で共有することで、例えば、一つの超音波診断装置２０から全ての超音波診断装置２０についての設定を変更することが可能になる。
また、設定テーブルを変更することで、容易に「取得先の電子カルテ端末」の設定を変更することができる。
【００９７】
なお、第２の実施の形態では、超音波診断装置２０が被検体情報及び装置識別ＩＤを受信したタイミングで、サーバー３０から設定テーブルを取得することとしたが、サーバー３０で管理されている設定テーブルに変更があったタイミングで、サーバー３０から各超音波診断装置２０に設定テーブルを送信し、各超音波診断装置２０内に常に最新の設定テーブルが記憶されていることとしてもよい。
【００９８】
また、電子カルテ端末１０が特定の超音波診断装置２０のみに被検体情報及び装置識別ＩＤを送信することとし、特定の超音波診断装置２０において、被検体情報の送信元の電子カルテ端末１０が「取得先の電子カルテ端末」と一致しないと判断した場合に、送信元の電子カルテ端末１０と対応付けられている他の超音波診断装置２０に被検体情報を受け渡してから、被検体情報を破棄するようにしてもよい。この際、他の超音波診断装置２０に被検体情報を直接送信してもよいし、他の超音波診断装置２０に被検体情報を送信し直すよう、送信元の電子カルテ端末１０に要求してもよい。
【００９９】
また、電子カルテ端末１０からもサーバー３０にアクセス可能とし、電子カルテ端末１０からの操作に応じて、サーバー３０内の設定テーブルを変更可能としてもよい。
また、電子カルテ端末１０がサーバー３０内の設定テーブルを参照することで、当該電子カルテ端末１０と対応付けられている超音波診断装置２０を特定し、特定された超音波診断装置２０のみに被検体情報を送信するよう、送信先の超音波診断装置２０を設定することとしてもよい。電子カルテ端末１０側と超音波診断装置２０側とが同じ設定テーブルを参照することで、無駄なデータ送信をなくし、負荷を低減させることができる。
【０１００】
また、設定テーブルを管理するサーバー３０の機能が、複数の超音波診断装置２０のうちいずれか一つの超音波診断装置２０、又は、複数の電子カルテ端末１０のうちいずれか一つの電子カルテ端末１０に内蔵されていてもよい。この場合、サーバー３０の機能を有しない超音波診断装置２０からも、設定が変更されていく設定テーブルを常に利用可能であることとする。
【０１０１】
［変形例］
次に、第２の実施の形態の変形例について説明する。
第２の実施の形態では、超音波診断装置２０がサーバー３０から設定テーブルを取得する場合について説明したが、変形例では、超音波診断装置２０がサーバー３０から設定テーブルに基づく判断結果を取得する。以下、第２の実施の形態と異なる部分のみ説明する。
【０１０２】
サーバー３０のＣＰＵ３１は、複数の超音波診断装置２０のうちいずれかの超音波診断装置２０から、当該超音波診断装置２０に被検体情報及び装置識別ＩＤを送信した送信元の電子カルテ端末１０の装置識別ＩＤを受信した場合に、記憶部３６に記憶されている設定テーブルを参照して、受信した装置識別ＩＤに基づいて、送信元の電子カルテ端末１０と対応付けられている超音波診断装置２０が、装置識別ＩＤをサーバー３０に送信した要求元の超音波診断装置２０であるか否かを判断し、当該判断結果を要求元の超音波診断装置２０に送信する。すなわち、ＣＰＵ３１は、提供部として機能する。
【０１０３】
超音波診断装置２０の制御部２７は、サーバー３０から取得した設定テーブルに関する情報に基づいて、送信元の電子カルテ端末１０が「取得先の電子カルテ端末」であるか否かを判断する。変形例では、「設定テーブルに関する情報」は、設定テーブルに基づく判断結果に相当する。
具体的には、制御部２７は、通信部２９を介してサーバー３０に送信元の電子カルテ端末１０の装置識別ＩＤを送信し、設定テーブルにおいて送信元の電子カルテ端末１０と対応付けられている超音波診断装置２０が自装置（サーバー３０に装置識別ＩＤを送信した超音波診断装置２０）であるか否かの判断結果をサーバー３０から取得し、当該判断結果に基づいて、送信元の電子カルテ端末１０が「取得先の電子カルテ端末」であるか否かを判断する。
【０１０４】
変形例では、図８に示した第２の被検体情報設定処理において、ステップＳ１３及びステップＳ１４の処理が第２の実施の形態と異なる。
変形例では、ステップＳ１３に代えて、超音波診断装置２０の制御部２７は、通信部２９を介して、サーバー３０から設定テーブルに基づく判断結果を取得する。具体的には、制御部２７は、通信部２９を介して、被検体情報及び装置識別ＩＤの送信元の電子カルテ端末１０の装置識別ＩＤをサーバー３０に送信する。
【０１０５】
サーバー３０では、超音波診断装置２０から装置識別ＩＤを受信すると、ＣＰＵ３１が、記憶部３６から設定テーブルを読み出し、読み出した設定テーブルを参照して、受信した装置識別ＩＤに基づいて、送信元の電子カルテ端末１０と対応付けられている超音波診断装置２０が、装置識別ＩＤをサーバー３０に送信した要求元の超音波診断装置２０であるか否かを判断し、当該判断結果を要求元の超音波診断装置２０に送信する。
そして、要求元の超音波診断装置２０は、サーバー３０から設定テーブルに基づく判断結果を受信する。
【０１０６】
次に、ステップＳ１４に代えて、超音波診断装置２０の制御部２７は、サーバー３０から取得した判断結果に基づいて、被検体情報及び装置識別ＩＤの送信元の電子カルテ端末１０が「取得先の電子カルテ端末」であるか否かを判断する。具体的には、送信元の電子カルテ端末１０と対応付けられている超音波診断装置２０が要求元の超音波診断装置２０である場合には、送信元の電子カルテ端末１０は「取得先の電子カルテ端末」に設定されている。一方、送信元の電子カルテ端末１０と対応付けられている超音波診断装置２０が要求元の超音波診断装置２０でない場合には、送信元の電子カルテ端末１０は「取得先の電子カルテ端末」に設定されていない。
【０１０７】
送信元の電子カルテ端末１０が「取得先の電子カルテ端末」である場合には、超音波診断装置２０の制御部２７は、ステップＳ１５〜ステップＳ１６の処理を行う。
送信元の電子カルテ端末１０が「取得先の電子カルテ端末」でない場合には、超音波診断装置２０の制御部２７は、ステップＳ１７の処理を行う。
【０１０８】
変形例によれば、サーバー３０が、超音波診断装置２０から送信元の電子カルテ端末１０の装置識別ＩＤを受信した場合に、設定テーブルを参照して、受信した装置識別ＩＤに基づいて、送信元の電子カルテ端末１０と対応付けられている超音波診断装置２０が、装置識別ＩＤをサーバー３０に送信した要求元の超音波診断装置２０であるか否かを判断し、当該判断結果を要求元の超音波診断装置２０に送信することができる。
【０１０９】
超音波診断装置２０は、サーバー３０から設定テーブルに基づく判断結果を取得し、判断結果に基づいて、送信元の電子カルテ端末１０が「取得先の電子カルテ端末」であるか否かを判断することができる。
【０１１０】
［第３の実施の形態］
次に、本発明を適用した第３の実施の形態について説明する。
第３の実施の形態における医用検査システムは、第２の実施の形態に示した医用検査システム２００と同様の構成であるため、図６、図２、図３、図７を援用し、図示及び説明を省略する。以下、第３の実施の形態に特徴的な構成及び処理について説明する。
【０１１１】
超音波診断装置２０の制御部２７は、操作入力部２３からの操作に応じて、取得先変更モードに遷移させる。すなわち、制御部２７は、モード変更部として機能する。
【０１１２】
制御部２７は、取得先変更モード中に、通信部２９により、いずれかの電子カルテ端末１０から被検体情報及び当該電子カルテ端末１０を識別するための装置識別ＩＤが受信された場合に、当該電子カルテ端末１０を「取得先の電子カルテ端末」として設定する。
【０１１３】
制御部２７は、取得先変更モード中に、通信部２９により、いずれかの電子カルテ端末１０から被検体情報が受信された場合に、取得先変更モードを終了する。
【０１１４】
次に、第３の実施の形態の動作について説明する。
図１０は、取得先を変更する超音波診断装置２０により実行される取得先変更モード処理を示すフローチャートである。この処理は、制御部２７のＣＰＵとＲＯＭに記憶されているプログラムとの協働によるソフトウェア処理によって実現される。
【０１１５】
まず、制御部２７は、操作入力部２３からの操作により、取得先変更モードへの遷移指示があったか否かを判断する（ステップＳ２１）。取得先変更モードへの遷移指示がない場合には（ステップＳ２１；ＮＯ）、ステップＳ２１に戻る。
【０１１６】
ステップＳ２１において、取得先変更モードへの遷移指示があった場合には（ステップＳ２１；ＹＥＳ）、制御部２７は、通信部２９を介してサーバー３０にアクセスし、全ての電子カルテ端末１０に対して自装置が対応付けられるように、サーバー３０の設定テーブルを変更する（ステップＳ２２）。具体的には、制御部２７は、サーバー３０に設定テーブルの変更指示を送信し、サーバー３０のＣＰＵ３１が変更指示に基づいて、サーバー３０内の設定テーブルを変更する。あるいは、制御部２７は、サーバー３０から設定テーブルを取得し、超音波診断装置２０内で設定テーブルを変更し、変更後の設定テーブルをサーバー３０に送信することとしてもよい。
【０１１７】
ここで、複数の電子カルテ端末１０のうちいずれかの電子カルテ端末１０から、表示部１３に表示されている被検体情報及び当該電子カルテ端末１０を識別するための装置識別ＩＤが、医用検査システム内の全ての超音波診断装置２０に送信される。
【０１１８】
ステップＳ２３〜ステップＳ２４の処理については、第１の被検体情報設定処理（図４参照）のステップＳ１〜ステップＳ２の処理と同様であるため、説明を省略する。
【０１１９】
次に、制御部２７は、受信した被検体情報を、検査対象の被検体に関する被検体情報として設定し（ステップＳ２５）、検査を開始する（ステップＳ２６）。
【０１２０】
次に、制御部２７は、通信部２９を介してサーバー３０にアクセスし、被検体情報及び装置識別ＩＤの送信元の電子カルテ端末１０と自装置との対応関係のみを残し、他の設定をステップＳ２２の処理の前の状態に戻すように、サーバー３０の設定テーブルを変更する（ステップＳ２７）。具体的には、制御部２７は、サーバー３０に設定テーブルの変更指示を送信し、サーバー３０のＣＰＵ３１が変更指示に基づいて、サーバー３０内の設定テーブルを変更する。あるいは、制御部２７は、サーバー３０から設定テーブルを取得し、超音波診断装置２０内で設定テーブルを変更し、変更後の設定テーブルをサーバー３０に送信することとしてもよい。
【０１２１】
次に、制御部２７は、取得先変更モードを終了する（ステップＳ２８）。
以上で、取得先変更モード処理が終了する。
【０１２２】
次に、図１１を参照して、取得先変更モード処理の具体例を説明する。
まず、超音波診断装置２０Ｘ，２０Ｙ，２０Ｚのうち超音波診断装置２０Ｙにおいて、操作入力部２３からの操作により、表示部２６に表示されている「取得先変更」ボタンＢ２１が押下されると（手順１）、超音波診断装置２０Ｙは取得先変更モードに遷移する。
【０１２３】
図１２（ａ）に、取得先変更モードに遷移する前の設定テーブルＴ２１の例を示す。図１２（ａ）では、電子カルテ端末１０Ａ，１０Ｂ，１０Ｃのそれぞれに、超音波診断装置２０Ｘ，２０Ｙ，２０Ｚが対応付けられている。
この状態で「取得先変更」ボタンＢ２１が押下されると、超音波診断装置２０Ｙの制御部２７は、図１２（ｂ）に示す設定テーブルＴ２２の状態へと、設定テーブルを変更する。図１２（ｂ）では、全ての電子カルテ端末１０Ａ，１０Ｂ，１０Ｃに、超音波診断装置２０Ｙが対応付けられている。つまり、制御部２７は、設定テーブルを一時的に変更し、電子カルテ端末１０Ａ，１０Ｂ，１０Ｃから送信される被検体情報が、超音波診断装置２０Ｙ以外で設定されないようにするとともに、超音波診断装置２０Ｙでは、全ての電子カルテ端末１０Ａ，１０Ｂ，１０Ｃから被検体情報を取得できるようにしておく。
【０１２４】
次に、図１１に示すように、電子カルテ端末１０Ａ，１０Ｂ，１０Ｃのうち電子カルテ端末１０Ａにおいて、操作部１２からの操作により、表示部１３に表示されている「検査開始」ボタンＢ２２が押下されると（手順２）、電子カルテ端末１０ＡのＣＰＵ１１は、表示部１３に表示されている被検体情報と、電子カルテ端末１０Ａの装置識別ＩＤを、通信部１４を介して超音波診断装置２０Ｘ，２０Ｙ，２０Ｚに送信する。
【０１２５】
超音波診断装置２０Ｙの制御部２７は、電子カルテ端末１０Ａから被検体情報及び装置識別ＩＤを受信すると、装置識別ＩＤに基づいて、送信元が電子カルテ端末１０Ａであることを特定する。サーバー３０内の設定テーブルＴ２２を参照すると、送信元の電子カルテ端末１０Ａと超音波診断装置２０Ｙとが対応付けられているから、超音波診断装置２０Ｙの制御部２７は、電子カルテ端末１０Ａから受信した被検体情報を検査対象として設定する。
【０１２６】
一方、超音波診断装置２０Ｘの制御部２７は、電子カルテ端末１０Ａから被検体情報及び装置識別ＩＤを受信すると、装置識別ＩＤに基づいて、送信元が電子カルテ端末１０Ａであることを特定する。サーバー３０内の設定テーブルＴ２２を参照すると、送信元の電子カルテ端末１０Ａと対応付けられている超音波診断装置２０が超音波診断装置２０Ｘでないから、超音波診断装置２０Ｘの制御部２７は、電子カルテ端末１０Ａから受信した被検体情報を破棄する。
超音波診断装置２０Ｚにおける処理は、超音波診断装置２０Ｘと同様である。
【０１２７】
その後、超音波診断装置２０Ｙの制御部２７は、図１２（ｃ）に示す設定テーブルＴ２３のように、送信元の電子カルテ端末１０Ａと自装置（超音波診断装置２０Ｙ）との対応関係のみを残し、他の設定については図１２（ａ）の設定テーブルＴ２１の状態に戻すように、設定テーブルを変更する。
【０１２８】
以上説明したように、第３の実施の形態によれば、超音波診断装置２０は、取得先変更モード中に、いずれかの電子カルテ端末１０から被検体情報及び装置識別ＩＤが受信された場合に、当該電子カルテ端末１０を当該超音波診断装置２０に対する「取得先の電子カルテ端末として設定するので、容易に被検体情報の取得先を変更することが可能になる。
【０１２９】
なお、第３の実施の形態では、「取得先変更」ボタンＢ２１の押下により、取得先変更モードに遷移することとしたが、ユーザーの入力以外の何等かの処理の実行や状況の変化の検知を契機として、取得先変更モードに遷移することとしてもよい。
【０１３０】
［第４の実施の形態］
次に、本発明を適用した第４の実施の形態について説明する。
第４の実施の形態における医用検査システムは、第３の実施の形態における医用検査システムと同様の構成であるため、図示及び説明を省略する。以下、第４の実施の形態に特徴的な構成及び処理について説明する。
【０１３１】
第４の実施の形態では、第３の実施の形態における取得先変更モード処理を前提としている。
超音波診断装置２０の制御部２７は、サーバー３０の記憶部３６に記憶されている設定テーブルにおいて、同一の超音波診断装置２０が対応付けられている電子カルテ端末１０が二つ以上存在するか否かを判定する。すなわち、制御部２７は、判定部として機能する。
制御部２７は、同一の超音波診断装置２０が対応付けられている電子カルテ端末１０が二つ以上存在すると判定された場合に、当該二つ以上の電子カルテ端末１０のうちいずれか一つの電子カルテ端末１０と、当該二つ以上の電子カルテ端末１０と対応付けられていた超音波診断装置２０とが対応付けられるように、設定テーブルを変更する。
【０１３２】
具体的には、制御部２７は、二つ以上の電子カルテ端末１０のうち同一の超音波診断装置２０との対応関係が最後に設定された電子カルテ端末１０と、当該二つ以上の電子カルテ端末１０と対応付けられていた超音波診断装置２０とが対応付けられるように、設定テーブルを変更する。
【０１３３】
制御部２７は、同一の超音波診断装置２０が対応付けられている電子カルテ端末１０が二つ以上存在すると判定された場合に、その旨をユーザーに通知する。すなわち、制御部２７は、通知部として機能する。
制御部２７は、二つ以上の電子カルテ端末１０のうち同一の超音波診断装置２０との対応関係が最後に設定された電子カルテ端末１０の設定を優先させるか否かをユーザーに選択させる。具体的には、制御部２７は、最後に設定された電子カルテ端末１０の設定を優先させるか否かを選択するための画面を表示部２６に表示させ、操作入力部２３からの操作により、ユーザーの選択を受け付ける。すなわち、操作入力部２３は、選択部として機能する。
【０１３４】
制御部２７は、操作入力部２３により、同一の超音波診断装置２０との対応関係が最後に設定された電子カルテ端末１０の設定を優先させることが選択された場合に、当該同一の超音波診断装置２０との対応関係が最後に設定された電子カルテ端末１０と、二つ以上の電子カルテ端末１０と対応付けられていた超音波診断装置２０とが対応付けられるように、設定テーブルを変更する。
【０１３５】
次に、第４の実施の形態の動作について説明する。
図１３は、取得先変更モード処理（図１０参照）を実行した超音波診断装置２０により実行される設定テーブル修正処理を示すフローチャートである。この処理は、取得先変更モード処理に続けて行われる処理であり、制御部２７のＣＰＵとＲＯＭに記憶されているプログラムとの協働によるソフトウェア処理によって実現される。
【０１３６】
制御部２７は、取得先変更モード処理の結果、サーバー３０内の設定テーブルにおいて、同一の超音波診断装置２０が対応付けられている電子カルテ端末１０が二つ以上存在するか否かを判定する（ステップＳ３１）。具体的には、制御部２７は、通信部２９を介してサーバー３０にアクセスし、サーバー３０から設定テーブルを取得し、取得した設定テーブルについて、上記判定を行う。
【０１３７】
同一の超音波診断装置２０が対応付けられている電子カルテ端末１０が二つ以上存在する場合には（ステップＳ３１；ＹＥＳ）、制御部２７は、表示部２６にその旨を表示させ、同一の超音波診断装置２０が対応付けられている電子カルテ端末１０が二つ以上存在することをユーザーに通知する（ステップＳ３２）。
【０１３８】
図１４に、超音波診断装置２０の表示部２６に表示される通知画面２６１の例を示す。通知画面２６１には、操作中の超音波診断装置２０において、新たな取得先が設定されたことにより、当該超音波診断装置２０が複数の電子カルテ端末１０と対応付けられている旨のメッセージと、当該超音波診断装置２０に対し、最後に設定された取得先の電子カルテ端末１０のみと対応付けられるように、設定テーブルの設定を変更するか否かの質問が含まれる。また、通知画面２６１には、「変更する」ボタンＢ３１と、「変更しない」ボタンＢ３２と、が含まれる。「変更する」ボタンＢ３１は、操作中の超音波診断装置２０について、最後に設定された電子カルテ端末１０との対応関係のみを残し、他の電子カルテ端末１０との対応関係を解除することを指示するためのボタンである。「変更しない」ボタンＢ３２は、操作中の超音波診断装置２０において、設定テーブルを、取得先を変更する前の状態に戻すことを指示するためのボタンである。
【０１３９】
次に、制御部２７は、ユーザーによる操作入力部２３からの操作により、設定テーブルを変更する旨の指示があったか否かを判断する（ステップＳ３３）。
設定テーブルを変更する旨の指示があった場合（ステップＳ３３；ＹＥＳ）、すなわち、通知画面２６１の「変更する」ボタンＢ３１が押下された場合には、制御部２７は、設定テーブルにおいて、同一の超音波診断装置２０が対応付けられている二つ以上の電子カルテ端末１０についての対応関係のうち、最後に設定された電子カルテ端末１０との対応関係を優先し、他の電子カルテ端末１０との対応関係を解除する（ステップＳ３４）。具体的には、制御部２７は、自装置と複数の電子カルテ端末１０との対応関係に対し、最後に設定された電子カルテ端末１０との対応関係のみを残し、他の電子カルテ端末１０に対応する超音波診断装置２０は空欄とする。制御部２７は、サーバー３０に設定テーブルの変更指示を送信し、サーバー３０のＣＰＵ３１が変更指示に基づいて、サーバー３０内の設定テーブルを変更する。あるいは、制御部２７は、サーバー３０から設定テーブルを取得し、超音波診断装置２０内で設定テーブルを変更し、変更後の設定テーブルをサーバー３０に送信することとしてもよい。
【０１４０】
ステップＳ３３において、設定テーブルを変更する旨の指示がなかった場合（ステップＳ３３；ＮＯ）、すなわち、通知画面２６１の「変更しない」ボタンＢ３２が押下された場合には、制御部２７は、設定テーブルを変更前の設定に戻す（ステップＳ３５）。つまり、制御部２７は、取得先変更モード処理前の設定テーブルの状態に戻す。制御部２７は、サーバー３０に設定テーブルを変更前の設定に戻す指示を送信し、サーバー３０のＣＰＵ３１が当該指示に基づいて、サーバー３０内の設定テーブルを変更する。あるいは、制御部２７は、サーバー３０から設定テーブルを取得し、超音波診断装置２０内で設定テーブルを変更前の設定に戻し、戻した後の設定テーブルをサーバー３０に送信することとしてもよい。
【０１４１】
ステップＳ３４の後、ステップＳ３５の後、又は、ステップＳ３１において、同一の超音波診断装置２０が対応付けられている電子カルテ端末１０が二つ以上存在しない場合には（ステップＳ３１；ＮＯ）、設定テーブル修正処理が終了する。
【０１４２】
図１５（ａ）は、取得先変更モード処理（図１０）の結果、図１２（ａ）〜（ｃ）に示す順に変更された設定テーブルＴ２３である。図１５（ａ）では、電子カルテ端末１０Ａと電子カルテ端末１０Ｂの二つの電子カルテ端末１０に対して、同一の超音波診断装置２０Ｙが対応付けられている。
この状態で「変更する」ボタンＢ３１が押下されると、超音波診断装置２０Ｙの制御部２７は、図１５（ｂ）に示す設定テーブルＴ２４のように、超音波診断装置２０Ｙについて最後に設定された電子カルテ端末１０Ａと超音波診断装置２０Ｙとの対応関係を残し、電子カルテ端末１０Ｂと対応付けられていた超音波診断装置２０Ｙを解除する。
一方、図１５（ａ）の状態で「変更しない」ボタンＢ３２が押下されると、超音波診断装置２０Ｙの制御部２７は、図１５（ｃ）に示す設定テーブルＴ２５のように、設定テーブルを図１２（ａ）に示す最初の状態に戻す。
【０１４３】
以上説明したように、第４の実施の形態によれば、設定テーブルにおいて、複数の電子カルテ端末１０に対して同一の超音波診断装置２０が対応付けられている状況が発生した場合に、その状況を解消させることができる。すなわち、設定テーブルの設定が常に排他的になるように、設定テーブルを変更することができる。
具体的には、同一の超音波診断装置２０との対応関係が最後に設定された電子カルテ端末１０を残すように、設定テーブルを変更することができる。
また、設定テーブルを変更する前に、複数の電子カルテ端末１０に対して同一の超音波診断装置２０が対応付けられていることをユーザーに通知し、最後に設定された電子カルテ端末１０の設定を優先させるか否かをユーザーに選択させ、最後に設定された電子カルテ端末１０の設定を優先させることをユーザーが望む場合に、設定テーブルを自動で変更することができる。
【０１４４】
なお、設定テーブル修正処理（図１３参照）において、同一の超音波診断装置２０が対応付けられている電子カルテ端末１０が二つ以上存在する場合に（ステップＳ３１；ＹＥＳ）、ステップＳ３２でユーザーに通知することなく、ステップＳ３３でユーザーからの操作を待たずに、ステップＳ３４の処理に進み、自動的に設定テーブルを修正することとしてもよい。
【０１４５】
また、第４の実施の形態では、取得先の変更を指示した超音波診断装置２０において、設定テーブル修正処理（図１３参照）が実行される場合について説明したが、サーバー３０側で、設定テーブル修正処理が実行されることとしてもよい。ただし、ステップＳ３２におけるユーザーへの通知や、ステップＳ３３における指示の受け付けは、超音波診断装置２０において行われる。
【０１４６】
［第５の実施の形態］
次に、本発明を適用した第５の実施の形態について説明する。
第５の実施の形態における医用検査システムは、第１の実施の形態に示した医用検査システム１００と同様の構成であるため、図１〜図３を援用し、図示及び説明を省略する。以下、第５の実施の形態に特徴的な構成及び処理について説明する。
【０１４７】
各超音波診断装置２０では、或る被検体情報を設定して検査している途中で、別の被検体情報を受信した場合の振る舞いについて、予め設定されている。
【０１４８】
図１６に、超音波診断装置２０の表示部２６に表示される設定画面２６２の例を示す。
設定画面２６２には、検査中の被検体情報取得設定として、「通常通り取得する」、「被検体情報を取得しない」、「メッセージを表示する」といった選択肢が表示されており、ユーザーは、これらの中からいずれかを設定可能となっている。制御部２７は、検査中の被検体情報取得設定として設定された内容を記憶部２８に記憶させる。
【０１４９】
次に、第５の実施の形態の動作について説明する。
図１７は、各超音波診断装置２０により実行される第３の被検体情報設定処理を示すフローチャートである。第３の被検体情報設定処理は、第１の被検体情報設定処理（図４参照）のステップＳ５の後に続けて実行される処理であり、制御部２７のＣＰＵとＲＯＭに記憶されているプログラムとの協働によるソフトウェア処理によって実現される。
【０１５０】
ステップＳ４１〜ステップＳ４３の処理については、第１の被検体情報設定処理（図４参照）のステップＳ１〜ステップＳ３の処理と同様であるため、説明を省略する。
【０１５１】
ステップＳ４３において、送信元の電子カルテ端末１０が「取得先の電子カルテ端末」として設定されている場合には（ステップＳ４３；ＹＥＳ）、制御部２７は、記憶部２８に記憶されている検査中の被検体情報取得設定が「通常通り取得する」、「被検体情報を取得しない」、「メッセージを表示する」のいずれであるかを判断する（ステップＳ４４）。
【０１５２】
検査中の被検体情報取得設定が「通常通り取得する」である場合には（ステップＳ４４；通常通り）、制御部２７は、第１の被検体情報設定処理のステップＳ４で設定した「前の被検体情報」を破棄する（ステップＳ４５）。
次に、制御部２７は、ステップＳ４１で「新たに受信した被検体情報」を、検査対象の被検体に関する被検体情報として設定し（ステップＳ４６）、検査を開始する（ステップＳ４７）。
【０１５３】
ステップＳ４４において、検査中の被検体情報取得設定が「被検体情報を取得しない」である場合には（ステップＳ４４；取得しない）、制御部２７は、ステップＳ４１で「新たに受信した被検体情報」を破棄し（ステップＳ４８）、第１の被検体情報設定処理のステップＳ４で設定した「前の被検体情報」の設定を維持する（ステップＳ４９）。
【０１５４】
ステップＳ４４において、検査中の被検体情報取得設定が「メッセージを表示する」である場合には（ステップＳ４４；メッセージ）、制御部２７は、検査中に新たな被検体情報が取得された旨のメッセージを表示部２６に表示させる（ステップＳ５０）。
【０１５５】
図１８に、超音波診断装置２０の表示部２６に表示される警告画面２６３の例を示す。警告画面２６３には、操作中の超音波診断装置２０において、新たな被検体情報を取得した旨のメッセージと、現在の検査を終了し、新たに検査を開始するか否かの質問が含まれる。また、警告画面２６３には、「終了する」ボタンＢ４１と、「終了しない」ボタンＢ４２と、が含まれる。「終了する」ボタンＢ４１は、操作中の超音波診断装置２０について、現在の検査を終了し、新たに検査を開始することを指示するためのボタンである。「終了しない」ボタンＢ４２は、操作中の超音波診断装置２０において、現在の検査を継続することを指示するためのボタンである。
【０１５６】
次に、制御部２７は、ユーザーによる操作入力部２３からの操作により、現在の検査を終了する旨の指示があったか否かを判断する（ステップＳ５１）。
現在の検査を終了する旨の指示があった場合（ステップＳ５１；ＹＥＳ）、すなわち、警告画面２６３の「終了する」ボタンＢ４１が押下された場合には、制御部２７は、ステップＳ４５〜ステップＳ４７の処理を行う。
【０１５７】
ステップＳ５１において、現在の検査を終了する旨の指示がなかった場合（ステップＳ５１；ＮＯ）、すなわち、警告画面２６３の「終了しない」ボタンＢ４２が押下された場合には、制御部２７は、ステップＳ４８〜ステップＳ４９の処理を行う。
ステップＳ４３において、送信元の電子カルテ端末１０が「取得先の電子カルテ端末」として設定されていない場合には（ステップＳ４３；ＮＯ）、制御部２７は、ステップＳ４８〜ステップＳ４９の処理を行う。
ステップＳ４７又はステップＳ４９の後、第３の被検体情報設定処理が終了する。
【０１５８】
以上説明したように、第５の実施の形態によれば、超音波診断装置２０での検査中に、別の被検体情報を受信した場合にどうするかを、予め設定しておくことができる。具体的には、新たに受信した被検体情報を検査対象とするか、前の被検体情報の設定を継続するか、あるいは、そのような状況が生じた際にユーザーに決めさせるかを設定しておくことができる。
【０１５９】
なお、第５の実施の形態では、第１の実施の形態と同様のシステムであるものとして説明したが、第２の実施の形態や第２の実施の形態の変形例のように、各超音波診断装置２０において、サーバー３０が管理する設定テーブルに関する情報に基づいて、送信元の電子カルテ端末１０が「取得先の電子カルテ端末」として設定されているか否かを判断することとしてもよい。
【０１６０】
また、上記各実施の形態及び変形例における記述は、本発明に係る医用検査装置及び医用検査システムの例であり、これに限定されるものではない。各装置を構成する各部の細部構成及び細部動作に関しても本発明の趣旨を逸脱することのない範囲で適宜変更可能である。各実施の形態及び変形例において特徴的な処理を組み合わせることとしてもよい。
【０１６１】
例えば、第３の実施の形態、第４の実施の形態においても、第２の実施の形態に示した第２の被検体情報設定処理（図８参照）を実行する際に、第２の実施の形態の変形例のように、超音波診断装置２０の制御部２７が、サーバー３０から設定テーブルに基づく判断結果を取得し、当該判断結果に基づいて、送信元の電子カルテ端末１０が「取得先の電子カルテ端末」であるか否かを判断することとしてもよい。
【符号の説明】
【０１６２】
１０Ａ，１０Ｂ，１０Ｃ  電子カルテ端末
１０  電子カルテ端末
１１  ＣＰＵ
１２  操作部
１３  表示部
１４  通信部
１６  記憶部
２０Ｘ，２０Ｙ，２０Ｚ  超音波診断装置
２０  超音波診断装置
２１  超音波診断装置本体
２２  超音波探触子
２３  操作入力部
２４  送受信部
２５  画像処理部
２６  表示部
２７  制御部
２８  記憶部
２９  通信部
３０  サーバー
３１  ＣＰＵ
３４  通信部
３６  記憶部
１００  医用検査システム
２００  医用検査システム
２６１  通知画面
２６２  設定画面
２６３  警告画面
Ｎ  通信ネットワーク
【図１】
2020135161.tif 000003
【図２】
2020135161.tif 000004
【図３】
2020135161.tif 000005
【図４】
2020135161.tif 000006
【図５】
2020135161.tif 000007
【図６】
2020135161.tif 000008
【図７】
2020135161.tif 000009
【図８】
2020135161.tif 000010
【図９】
2020135161.tif 000011
【図１０】
2020135161.tif 000012
【図１１】
2020135161.tif 000013
【図１２】
2020135161.tif 000014
【図１３】
2020135161.tif 000015
【図１４】
2020135161.tif 000016
【図１５】
2020135161.tif 000017
【図１６】
2020135161.tif 000018
【図１７】
2020135161.tif 000019
【図１８】
2020135161.tif 000020